(57)【要約】【課題】  位置をずらして複数の接続端子部を備えたフラットケーブルに対して、その接続端子部の接点部に接触するための接点部を接続端子部の数だけ用意したコネクタを提供する。【解決手段】  コネクタは、インシュレータと、該インシュレータに保持した導電性の第１及び第２コンタクトとを備え、前記インシュレータは、前記第１コンタクトが挿入される第１挿入口と前記第２コンタクトが挿入される第２挿入口とを備え、前記第１コンタクトは前記第１挿入口から挿入したときに第１接点部が上方向を向いた状態で係合され、前記第２コンタクトは前記第２挿入口から挿入したときに第２接点部が前記第１コンタクトの第１接点部と対向する位置であって下方向を向いた状態で係合されることである。【選択図】図１
2006179408.tif 000002
【特許請求の範囲】
【請求項１】
インシュレータと、該インシュレータに保持した導電性の第１及び第２コンタクトとを備え、
前記インシュレータは、前記第１コンタクトが挿入される第１挿入口と前記第２コンタクトが挿入される第２挿入口とを備え、
前記第１コンタクトは前記第１挿入口から挿入したときに第１接点部が上方向を向いた状態で係合され、前記第２コンタクトは前記第２挿入口から挿入したときに第２接点部が前記第１コンタクトの第１接点部と対向する位置であって下方向を向いた状態で係合されることを特徴とするコネクタ。
【請求項２】
複数本の導体を一定間隔をもって並列配置し、端部の前記導体を一定長さにわたって露出して接続端子部を設けた構造のケーブル２枚を、背中同士を張り合わせて、両面に接続端子部を有するフラットケーブルを形成し、
前記フラットケーブルを前記コネクタに挿入したときに、上面の接続端子部を前記第２接点部に、下面の接続端子部が前記第１接点部に、それぞれ電気的に接続することを特徴とする請求項１に記載のコネクタ。
【請求項３】
インシュレータと、該インシュレータに保持した導電性の第１及び第２コンタクトとを備え、
前記インシュレータは、前記第１コンタクトが挿入される第１挿入口と前記第２コンタクトが挿入される第２挿入口とを備え、
前記第１コンタクトは前記第１挿入口から挿入したときに第１接点部が上方向を向いた状態で係合され、前記第２コンタクトは前記第２挿入口から挿入したときに第２接点部が前記第１コンタクトの第１接点部とずれた位置であって上方向を向いた状態で係合されることを特徴とするコネクタ。
【請求項４】
複数本の導体を一定間隔をもって並列配置し、端部の前記導体を一定長さにわたって露出して接続端子部を設けた構造のケーブル２枚を、接続端子部の位置をずらして張り合わせて、同じ方向に２つの接続端子部を有するフラットケーブルを形成し、
前記フラットケーブルを前記コネクタに挿入したときに、前端の接続端子部を前記第２接点部に、次端の接続端子部が前記第１接点部に、それぞれ電気的に接続することを特徴とする請求項３に記載のコネクタ。
【発明の詳細な説明】
【技術分野】
【０００１】
本発明は、基板対ＦＰＣ/ＦＦＣコネクタに関し、詳しくはウイスカ対策をするためにＦＰＣ/ＦＦＣの接続端子部を複数設けることで接点端子間のピッチを広くしてコネクタと接続する構造のＦＰＣ／ＦＦＣコネクタに関する。
【背景技術】
【０００２】
従来技術におけるＦＰＣ（フレキシブルプリントケーブル）／ＦＦＣ（フレキシブルフラットケーブル）をコネクタに接続させる、所謂、ＦＰＣ／ＦＦＣコネクタというものが知られている。
ここで使用されるＦＰＣ／ＦＦＣのフラットケーブルは、２枚のテープ状絶縁体プラスチックフィルム間に複数本の導体を所定の間隔で並列配置し、その両端末部の導体を所要長さ露出させ接続端子部を設けた構造となっている。このようなフラットケーブルは、接続端子部を接続コネクタに一括挿入して接続する。
このフラットケーブルの導体は、接続品質を安定させるために外周にめっきを施しためっき平角導体が使用されている。従来、これらのめっき平角導体には、Ｓｎ（錫）めっき平角導体或はＳｎ（錫）―Ｐｂ（鉛）合金平角導体が使用されている。
しかし、近時の各種電子機器の小型化高性能化の趨勢のなかで、プリント基板は小型化、高密度化が進み、プリント基板の接続端子間ピッチはますます狭小化されてきている。このため、これらプリント基板間を接続するフラットケーブルについても、プリント基板の接続端子間ピッチに適合させるべく導体間隔を狭めた高密度フラットケーブルが求められ、従来導体間隔が１ｍｍであったものが、例えば、導体間隔０．３ｍｍといった高密度フラットケーブルの要求もきている。
又、更に、電子機器の小型高密度化に伴い、機器内が高温環境にさらされることが多くなり、高温環境下における機器の信頼性を高める観点から、機器内に使用されるフラットケーブルの導体めっき層についても高耐熱性のものが求められるようになってきている。
【０００３】
【特許文献１】特願２００３−５１７０６号（第５頁〜９頁、第１図）
【発明の開示】
【発明が解決しようとする課題】
【０００４】
しかしながら、上記背景技術の項で説明した従来技術のフラットケーブルの導体間隔の狭小化のなかで、従来のＳｎ単体めっき導体を使用したフラットケーブルでは、このような要求に対応し得ない問題が生じてきた。
従来のフラットケーブルは、フラットケーブル導体のＳｎめっき層からウイスカが発生し、このウイスカにより並列配置した導体間で短絡事故を引き起こすという問題がある。Ｓｎ単体めっき導体を使用した従来のフラットケーブルでは導体間隔の狭められた高密度フラットケーブルとして使用するには問題がある。
【０００５】
従って、高密度フラットケーブルとして用いた場合にもウイスカによる導体短絡事故を発生する恐れがないコネクタに解決しなければならない課題を有する。
【課題を解決するための手段】
【０００６】
上記課題を解決するために、本発明に係るコネクタ及びコネクタ接続方法は、次に示す構成にすることである。
【０００７】
（１）コネクタは、インシュレータと、該インシュレータに保持した導電性の第１及び第２コンタクトとを備え、前記インシュレータは、前記第１コンタクトが挿入される第１挿入口と前記第２コンタクトが挿入される第２挿入口とを備え、前記第１コンタクトは前記第１挿入口から挿入したときに第１接点部が上方向を向いた状態で係合され、前記第２コンタクトは前記第２挿入口から挿入したときに第２接点部が前記第１コンタクトの第１接点部と対向する位置であって下方向を向いた状態で係合されることである。
（２）複数本の導体を一定間隔をもって並列配置し、端部の前記導体を一定長さにわたって露出して接続端子部を設けた構造のケーブル２枚を、背中同士を張り合わせて、両面に接続端子部を有するフラットケーブルを形成し、前記フラットケーブルを前記コネクタに挿入したときに、上面の接続端子部を前記第２接点部に、下面の接続端子部が前記第１接点部に、それぞれ電気的に接続することを特徴とする（１）に記載のコネクタ。
【０００８】
（３）コネクタは、インシュレータと、該インシュレータに保持した導電性の第１及び第２コンタクトとを備え、前記インシュレータは、前記第１コンタクトが挿入される第１挿入口と前記第２コンタクトが挿入される第２挿入口とを備え、前記第１コンタクトは前記第１挿入口から挿入したときに第１接点部が上方向を向いた状態で係合され、前記第２コンタクトは前記第２挿入口から挿入したときに第２接点部が前記第１コンタクトの第１接点部とずれた位置であって上方向を向いた状態で係合されることである。
（４）複数本の導体を一定間隔をもって並列配置し、端部の前記導体を一定長さにわたって露出して接続端子部を設けた構造のケーブル２枚を、接続端子部の位置をずらして張り合わせて、同じ方向に２つの接続端子部を有するフラットケーブルを形成し、前記フラットケーブルを前記コネクタに挿入したときに、前端の接続端子部を前記第２接点部に、次端の接続端子部が前記第１接点部に、それぞれ電気的に接続することを特徴とする（３）に記載のコネクタ。
【発明の効果】
【０００９】
本発明のコネクタは、複数の接続端子部を備えたフラットケーブルに対応して、インシュレータに接続端子部の数だけのコンタクトを用意し、フラットケーブルを挿入したときに接続端子部とコンタクトを接続するようにしたことで、所望の極数を得る構造であっても接続端子部の端子間のピッチを広くすることができるため、ウイスカの発生による短絡を防止できるというものである。
【発明を実施するための最良の形態】
【００１０】
次に、本発明に係るコネクタ及びコネクタ接続方法の実施例について、図面を参照して説明する。
【実施例１】
【００１１】
本願発明に係るコネクタは、図１乃至図４に示すように、略長箱形状のインシュレータ１１と、このインシュレータ１１の長手方向で所定ピッチに配されてインシュレータ１１に保持している導電性の第１コンタクト１２と、インシュレータ１１の長手方向で第１コンタクト１２と同じく所定ピッチに配されてインシュレータ１１に保持している導電性の第２コンタクト１３とを備えた構成になっている。
【００１２】
インシュレータ１１は、プリント回路基板のような基板１４に対向する設置板部１５と、設置板部１５の上部で前方方向から第１コンタクト１２を挿入するための第１挿入口１６と、この第１挿入口１６の連続した内部に第１コンタクト１２の第１接点部１７が上方向に臨まして配置する第１コンタクト収容部１８と、第１挿入口１６の上部でフラットケーブルを挿入するケーブル挿入口１９と、インシュレータ１１の後方方向から第２コンタクト１３を挿入するための第２挿入口２１を備え、この第２挿入口２１に連続した内部であって第１コンタクト収容部１８の上部位置に該当し、第２コンタクト１３の第２接点部２２が下方向に臨まして配置する第２コンタクト収容部２３と、第２挿入口２１及び第２コンタクト収容部２３の天井位置を形成する天板部２４とから概略構成されている。
【００１３】
第１コンタクト１２は、長尺に形成され、一方の端部が基板１４のはんだ付け部に接続する第１接続端部２５であり、略中央位置で上方向に曲げをいれて延長させ、その他方の端部に上方向に向けて凸状の第１接点部１７を備えた構成になっている。
【００１４】
第２コンタクト１３は、長尺に形成され、一方の端部が基板１４のはんだ付け部に接続する第２接続端部２６と、第２接続端部２６から外れた位置から直交する方向に曲げ、更に第２接続端部２６と反対方向に直交する方向に曲げ、その他方の端部に下方向に向けて凸状の第２接点部２２を備えた構成になっている。
【００１５】
フラットケーブル２７は、図５乃至図７に示すように、接続端子部２８ａ、２８ｂを備えた２つのケーブル２９ａ、２９ｂの背面同士を張り合わせて両面に接続端子部２８ａ、２８ｂを備えた構成になっている。張り合わせるケーブル２９ａ、２９ｂは、２枚の絶縁テープ３０ａ、３０ｂ間に複数本の導体３１を一定間隔をもって並列配置し、端部の導体３１を一定長さにわたって露出して接続端子部２８ａ、２８ｂを設けた構造になっている。
このように両面に接続端子部２８ａ、２８ｂを備えた構成にすることで、極数を２倍にすることが可能になる。例えば、０.５ｍｍピッチの場合は、１.０ｍｍピッチのケーブルを２枚張り合わせることで、０.５ｍｍピッチと同等の極数を確保できる。
これにより、導体間距離が大きくなることでショートの懸念が解消され、Ｓｎメッキでのコネクタ及びＦＰＣ／ＦＦＣを選択でき、コストに貢献できるというものである。
【００１６】
このような構成からなるコネクタにおいて、インシュレータ１１の前方方向から第１コンタクト１２の第１接点部１７側から第１挿入口１６に差込んで第１コンタクト収容部１８において第１接点部１７が上方向を向いた状態で配置される。そして、インシュレータ１１の後方方向から第２コンタクト１３の第２接点部２２側から第２挿入口２１に差込んで、第２接点部２２が第２コンタクト収容部２３に収容され、第２接点部２２と対向する位置関係で下方向を向いた状態で配置される。
【００１７】
このようにして組立てられたコネクタに、両面に接続端子部２８ａ、２８ｂを備えたフラットケーブル２７をケーブル挿入口１９に差込むと表面の接続端子部２８ａが第２接点部２２に電気的に接続され、裏面の接続端子部２８ｂが第１接点部１７に電気的に接続された状態を維持して係合される。
【００１８】
以上のようにして極数が多くともピッチの間隔を狭くしないコネクタ及びケーブルを作成することで、所謂、ウイスカの発生による短絡を防止する構造とすることができるのである。
【実施例２】
【００１９】
次に第２実施例のコネクタ及びケーブルについて、図８及び図９を参照して以下説明する。
【００２０】
第２実施例のコネクタは、図８に示すように、略長箱形状のインシュレータ４１と、このインシュレータ４１の長手方向で所定ピッチに配されてインシュレータ４１に保持している導電性の第１コンタクト４２と、インシュレータ４１の長手方向で第１コンタクト４２と同じく所定ピッチに配されてインシュレータ４１に保持している導電性の第２コンタクト４３とを備えた構成になっている。
【００２１】
インシュレータ４１は、プリント回路基板のような基板４４に対向する底部位置に配設され、前方方向に第１コンタクト４２の第１腕部６１を挟み込む第１コンタクト係合突部４５と後方方向に第２コンタクト４３の基端部６３に係合する第２コンタクト係合突部４６を備えた設置板部４７と、この設置板部４７の横側で前方方向から第１コンタクト４２を挿入するための第１挿入口４８と、この第１挿入口４８の連続した内部に第１コンタクト４２の第１接点部４９が上方向に臨まして配置する第１コンタクト収容部５１と、第１挿入口４８の上部でフラットケーブル６７を挿入するケーブル挿入口５２と、インシュレータ４１の後方方向から第２コンタクト４３を挿入するための第２挿入口５３を備え、この第２挿入口５３に連続した内部であって第１コンタクト収容部５１と水平方向に外れた位置に、第２コンタクト４３の第２接点部が上方向に臨まして配置する第２コンタクト収容部５４と、設置板部４７の上部位置で第１コンタクト４２の支持部６２を支持する支持受け部６０と、第２挿入口５３及び第２コンタクト収容部５４の天井位置を形成する天板部５５と、天板部５５の下方方向で前方から延びフラットケーブル６７の挿入方向をガイドする役目と上部で第２コンタクト４３の第２腕部６４を天板部５５と共に挟持するガイド部５６と、このガイド部５６の自由端部側の連接した位置にフラットケーブル６７を係止するケーブル係止部５７と、から概略構成されている。
【００２２】
第１コンタクト４２は、導電性部材で形成され、基端部５８からＵ字状に分離した一方側が弾性形状の第１接点支持部５９を形成し、他方側が更にＵ字状に分離した一方側が第１腕部６１で他方側が支持部６２を形成する。第１接点支持部５９の先端に上方向を向いた第１接点部４９を備えた構成になっている。
【００２３】
第２コンタクト４３は、導電性部材で形成され、基端部６３から鉛直上方向に延設して直交方向にＵ字状に分離した一方側がインシュレータ４１にガイド支持する第２腕部６４で他方側が先端に上方向に向いた第２接点部６５を備えた弾性形状の第２接点支持部６６を備えた構成になっている。
【００２４】
フラットケーブル６７は、図９に示すように、接続端子部６８ａ、６８ｂを備えた２つのケーブル６９ａ、６９ｂを接続端子部６８ａ、６８ｂの位置をずらして同一面の同じ方向になるように張り合わせた構成になっている。張り合わせるケーブル６９ａ、６９ｂは、２枚の絶縁テープ７１ａ、７１ｂに複数本の導体７２を一定間隔をもって並列配置し、端部の導体７２を一定長さにわたって露出して接続端子部６８ａ、６８ｂを設けた構造になっている。
このように同一面の同じ方向に位置をずらして２個の接続端子部６８ａ、６８ｂを備えた構成にすることで、極数を２倍にすることが可能になる。例えば、０.５ｍｍピッチの場合は、１.０ｍｍピッチのケーブルを２枚張り合わせることで、０.５ｍｍピッチと同等の極数を確保できる。
これにより、導体間距離が大きくなることでショートの懸念が解消され、Ｓｎメッキでのコネクタ及びＦＰＣ／ＦＦＣを選択でき、コストに貢献できるというものである。
【００２５】
このような構成からなるコネクタにおいて、インシュレータ４１の前方方向から第１コンタクト４２の第１接点部４９側から第１挿入口４８に差込むと、第１腕部６１と支持部６２との間に第１コンタクト係合突部４５が係合し、支持部６２が支持受け部６０に支持され、第１コンタクト収容部５１において第１接点部４９が上方向を向いた状態で配置される。
そして、インシュレータ４１の後方方向から第２コンタクト４３の第２接点部６５側から第２挿入口５３に差込んで、第２腕部６４を天板部５５とガイド部５６との間に挿入することで第２接点部６５が第２コンタクト収容部５４に収容され、第２接点部６５が第１接点部４９と水平方向にずらした位置関係で上方向を向いた状態で配置される。
【００２６】
このようにして組立てられたコネクタに、同一面で位置をずらした接続端子部６８ａ、６８ｂを備えたフラットケーブル６７をケーブル挿入口５２に差込むと前端の接続端子部６８ａが第２接点部６５に電気的に接続され、次端の接続端子部６８ｂが第１接点部４９に電気的に接続された状態を維持して係合される。
【産業上の利用可能性】
【００２７】
本発明のコネクタは、複数の接続端子部を備えたフラットケーブルに対応して、インシュレータに接続端子部の数だけのコンタクトを用意し、フラットケーブルを挿入したときに接続端子部とコンタクトを接続するようにしたことで、所望の極数を得る構造であっても接続端子部の端子間のピッチを広くすることができるため、ウイスカの発生による短絡を防止できるコネクタを提供することができる。
【図面の簡単な説明】
【００２８】
【図１】本願発明に係る第１実施例のコネクタの側面図である。
【図２】同、コネクタの断面図である。
【図３】同、コネクタの正面図である。
【図４】同、コネクタの平面図である。
【図５】第１実施例のコネクタに挿入するフラットケーブルの平面図である。
【図６】同、フラットケーブルの側面図である。
【図７】同、フラットケーブルの背面図である。
【図８】第２実施例のコネクタの断面図である。
【図９】第２実施例のコネクタに挿入するフラットケーブルの側面図である。
【符号の説明】
【００２９】
１１；インシュレータ、１２；第１コンタクト、１３；第２コンタクト、１４；基板、１５；設置板部、１６；第１挿入口、１７；第１接点部、１８；第１コンタクト収容部、１９；ケーブル挿入口、２１；第２挿入口、２２；第２接点部、２３；第２コンタクト収容部、２４；天板部、２５；第１接続端部、２６；第２接続端部、２７；フラットケーブル、２８ａ；接続端子部、２８ｂ；接続端子部、２９ａ；ケーブル、２９ｂ；ケーブル、３０ａ；絶縁テープ、３０ｂ；絶縁テープ、３１；導体、４１；インシュレータ、４２；第１コンタクト、４３；第２コンタクト、４４；基板、４５；第１コンタクト係合突部、４６；第２コンタクト係合突部、４７；設置板部、４８；第１挿入口、４９；第１接点部、５１；第１コンタクト収容部、５２；ケーブル挿入口、５３；第２挿入口、５４；第２コンタクト収容部、５５；天板部、５６；ガイド部、５７；ケーブル係止部、５８；基端部、５９；第１接点支持部、６０；支持受け部、６１；第１腕部、６２；支持部、６３；基端部、６４；第２腕部、６５；第２接点部、６６；第２接点支持部、６７；フラットケーブル、６８ａ；接続端子部、６８ｂ；接続端子部、６９ａ；ケーブル、６９ｂ；ケーブル、７１ａ；絶縁テープ、７１ｂ；絶縁テープ、７２；導体。
【図１】
2006179408.tif 000003
【図２】
2006179408.tif 000004
【図３】
2006179408.tif 000005
【図４】
2006179408.tif 000006
【図５】
2006179408.tif 000007
【図６】
2006179408.tif 000008
【図７】
2006179408.tif 000009
【図８】
2006179408.tif 000010
【図９】
2006179408.tif 000011